(57)【特許請求の範囲】
【請求項１】
既存地下構造物を解体しつつ新規地下構造物を構築する地下構造物の施工方法であって、
前記既存地下構造物の周りに山留めを築造した後、
残存する前記既存地下構造物のうちで最も上層階に位置する部分を解体する解体工程と、
該解体工程によって形成された空間内に、前記新規地下構造物の外周部であって中央部分に開口が形成された外周リングを築造するリング築造工程と、
を交互に行うことで、前記既存地下構造物を上層階から順次解体しながら前記新規地下構造物の外周部を上層階から順次築造し、
前記既存地下構造物の解体終了後、前記外周リングの開口の内側に前記新規地下構造物の中央部分を築造し、
最上層階の前記外周リングの開口は、平面視において矩形に形成され、
前記最上層階よりも下層階で最下層階よりも上層階の前記外周リングの開口は、平面視において矩形の角部に下層階に行くに従い大きくなるハンチを有する多角形状に形成され、
前記最下層階の前記外周リングの開口は、平面視において円形状に形成されていることを特徴とする地下構造物の施工方法。
【請求項２】
請求項１に記載の地下構造物の施工方法において、
前記リング築造工程の前に、前記既存地下構造物を貫通すると共に該既存地下構造物の下方の地盤に支持される構真柱を建て込み、
該構真柱によって前記外周リングを支持することを特徴とする地下構造物の施工方法。
【発明の詳細な説明】
【技術分野】
【０００１】
本発明は、既存地下構造物の解体工事を伴う地下構造物の施工方法に関する。
【背景技術】
【０００２】
近年、床面積が広くて大深度の大規模地下構造を持った既存建物を解体し、その場所に、同じく大深度で床面積が広い大規模地下構造を持った新規建物を新築する建設工事がある。このような建設工事では、周辺のインフラや建物等への影響を防止するために、既存地下構造物の周りに山留めを構築しつつ、その山留めの土圧による変形（倒れ）を抑制する必要がある。
上記した建設工事の施工方法としては、従来、例えば下記の２つの方法が考えられる。
【０００３】
（１）全面切梁工法
この工法は、まず、既存建物の上部構造を解体した後、既存建物の地下構造の周りに山留めを築造し、その後、既存地下構造物を上層階から順次解体しながら、山留めの内側の全面に切梁を水平方向に架設していく。この切梁によって、既存地下構造物の解体による山留めの変形を抑制することができる。そして、既存地下構造物の解体終了後、根切り及び床付けをそれぞれ行って耐圧盤を形成する。次に、耐圧盤から地下部分の鉄骨建て方を行ってから１階スラブを先行打設し、その後、地下部分を最下階から順次施工（順打ち工法）し、また、それに並行して地上部分の鉄骨建て方を行って地上工事を進める。これにより、地下工事と地上工事とを同時進行させることができるので、工期の短縮を図ることができる。
【０００４】
（２）全面逆打工法
この工法は、既存建物の上部構造を解体した後、既存建物の地下構造の周りに山留めを築造し、その後、既存地下構造物を上層階から順次解体するごとに、その解体によって形成された空間に新規地下構造物のスラブを上層階から順次築造していく（例えば下記特許文献１参照。）。すなわち、まず、既存地下構造物の地下１階部分（１階梁スラブ及び地下１階柱壁）を解体し、その後、新規構造物の１階スラブを全面に亘って築造する。続いて、既存地下構造物の地下２階部分（地下１階梁スラブ及び地下２階柱壁）を解体し、その後、新規構造物の地下１階スラブを全面に亘って築造する。このように既存地下構造物の解体と新規構造物の築造を繰り返すことで、既存地下構造物が上層階から順次解体されながら新規構造物が上層階から順次築造される。この工法によれば、順次築造される新規構造物のスラブが山留めを支持する支保工となり、しかも、上記した切梁よりも信頼性が高いため、大深度・大面積の大規模地下工事であっても山留めの変形を確実に抑制することができ、周辺インフラ等への影響を低減することができる。また、新規構造物の１階スラブを築造した後、地下工事と並行して地上部分の鉄骨建て方を行って地上工事を進める。これにより、地下工事と地上工事とを同時進行させることができるので、工期の短縮を図ることができる。
【先行技術文献】
【特許文献】
【０００５】
【特許文献１】特開２００２−６１２１３号公報
【発明の概要】
【発明が解決しようとする課題】
【０００６】
しかしながら、大規模工事において上記した全面切梁工法を行うと、山留めの変形を十分に抑制することが難しい。また、全面切梁工法では、相当数の切梁が必要であるため、切梁の設置や解体に相当な時間を要することになり、地下工事の工期が長くなるという問題がある。また、既存地下構造物を解体時に山留めの内側に切梁が架設されており、大型重機を使用することが難しいため、小型重機によって解体作業を行うことになり、解体作業の工期が長くなるという問題がある。特に、既存地下構造物が比較的新しい場合、躯体の高強度であって小型重機での解体が困難な場合がある。
【０００７】
また、上記した全面逆打工法では、先行して築造される新規構造物のスラブが全面に亘って形成されるので、そのスラブの下で行われる解体作業の作業空間は、大型重機を使用できるほどの十分な高さはない。そのため、小型重機で既存地下構造物の解体を行うことになるので、解体作業の工期が長くなるという問題がある。また、新規構造物の１階スラブが築造されることで地下部分が閉塞され、地下工事の作業場は日中であっても暗くなるため、多数の照明設備が必要である。また、上記したように地下部分が閉塞された後も、重機よる解体作業を行うため、この重機の排気ガスが地下工事の作業場に溜まりやすい。このため、地下工事の作業場の換気を行う換気設備を多数設置する必要があり、また、排気ガスの発生量を抑えるために重機の運転台数を制限すると工期が長くなる。
【０００８】
本発明は、上記した従来の問題が考慮されたものであり、周辺への影響を低減しつつ、工期短縮を図ることができ、さらに、照明設備や換気設備を削減或いは省略することができる地下構造物の施工方法を提供することを目的としている。
【課題を解決するための手段】
【０００９】
本発明に係る地下構造物の施工方法は、既存地下構造物を解体しつつ新規地下構造物を構築する地下構造物の施工方法であって、前記既存地下構造物の周りに山留めを築造した後、残存する前記既存地下構造物のうちで最も上層階に位置する部分を解体する解体工程と、該解体工程によって形成された空間内に、前記新規地下構造物の外周部であって中央部分に開口が形成された外周リングを築造するリング築造工程と、を交互に行うことで、前記既存地下構造物を上層階から順次解体しながら前記新規地下構造物の外周部を上層階から順次築造し、前記既存地下構造物の解体終了後、前記外周リングの開口の内側に前記新規地下構造物の中央部分を築造し、最上層階の前記外周リングの開口は、平面視において矩形に形成され、前記最上層階よりも下層階で最下層階よりも上層階の前記外周リングの開口は、平面視において矩形の角部に下層階に行くに従い大きくなるハンチを有する多角形状に形成され、前記最下層階の前記外周リングの開口は、平面視において円形状に形成されていることを特徴としている。
【００１０】
このような特徴により、新規地下構造物の外周部である外周リングが先行して築造されるので、この外周リングによって山留めの変形が抑制され、切梁が省略或いは削減される。また、新規に築造される構造物の中央部分は、先行して築造された外周リングの開口によって吹き抜け状に形成されるので、その外周リングの開口から、既存地下構造物の解体作業に使用する重機や機材、並びに新規地下構造物の資材等が搬入される。また、外周リングの開口によって地下工事の作業場の中央部は、大型重機を使用できるだけの十分な高さ（大空間）が確保される。また、地下工事の作業場には外周リングの開口から太陽光が照射され、また、その外周リングの開口から地下工事の作業場の換気が行われる。
また、前記外周リングの開口が「平面視において矩形の角部にハンチを有する多角形状」や「平面視において円形状」に形成されることにより、山留めから外周リングに外力が作用したときに、その応力が一箇所に集中しにくく分散されやすくなるので、外周リングの開口を大きく形成することができる。
【００１１】
また、本発明に係る地下構造物の施工方法は、前記リング築造工程の前に、前記既存地下構造物を貫通すると共に該既存地下構造物の下方の地盤に支持される構真柱を建て込み、該構真柱によって前記外周リングを支持することが好ましい。
これにより、構真柱によって外周リングが支持されるので、外周リングを仮支持する支保工が省略或いは削減される。
【発明の効果】
【００１３】
本発明に係る地下構造物の施工方法によれば、山留めの変形を抑制する外周リングは切梁に比べて信頼性が高いので、大深度・大面積の大規模地下工事であっても山留めの変形を確実に抑制することができる。また、切梁を省略或いは削減することができるので、切梁の設置解体の工程が短縮或いは省略され、工期短縮を図ることができる。
【００１４】
また、先行して築造される外周リングは中央に開口が形成され、地下工事の作業場の中央部には大型重機を使用できるだけの十分な高さ（大空間）が確保されるので、解体作業に大型重機を投入することができる。これにより、解体作業の工期短縮を図ることができる。また、既存地下構造物が比較的に新しく高強度である場合でも、大型重機を使用することで容易に解体することができる。
また、外周リングの開口から地下工事の作業場に太陽光が照射されるので、地下工事の作業場が非常に明るい。したがって、照明設備を削減或いは省略することができる。
また、外周リングの開口によって地下工事の作業場の換気が行われるので、地下工事の作業場に重機の排気ガスが溜まりにくい。したがって、換気設備を削減或いは省略することができる。また、地下工事の作業場の換気を十分に行うことができるので、排気量の大きい大型の重機を多数同時に運転することができ、解体作業の工期短縮を図ることができる。
【図面の簡単な説明】
【００１５】
【図１】本発明の実施の形態を説明するための施工中の新規地下構造物の斜視図である。
【図２】本発明の実施の形態を説明するための地下工事の施工状況（一次解体工程・山留め工程・構真柱建込工程）を表した断面図である。
【図３】本発明の実施の形態を説明するための地下工事の施工状況（一次リング築造工程）を表した断面図である。
【図４】本発明の実施の形態を説明するための地下工事の施工状況（二次解体工程）を表した断面図である。
【図５】本発明の実施の形態を説明するための地下工事の施工状況（二次リング築造工程）を表した断面図である。
【図６】本発明の実施の形態を説明するための地下工事の施工状況（三次解体工程）を表した断面図である。
【図７】本発明の実施の形態を説明するための地下工事の施工状況（三次リング築造工程）を表した断面図である。
【図８】本発明の実施の形態を説明するための地下工事の施工状況（四次解体工程）を表した断面図である。
【図９】本発明の実施の形態を説明するための地下工事の施工状況（四次リング築造工程）を表した断面図である。
【図１０】本発明の実施の形態を説明するための地下工事の施工状況（最終根切工程）を表した断面図である。
【図１１】本発明の実施の形態を説明するための地下工事の施工状況（基礎床築造工程）を表した断面図である。
【図１２】本発明の実施の形態を説明するための地下工事の施工状況（地下中央部築造工程）を表した断面図である。
【発明を実施するための形態】
【００１６】
以下、本発明に係る地下構造物の施工方法の実施の形態について、図面に基いて説明する。
【００１７】
以下に説明する解体・建設工事は、床面積が広くて大深度の大規模地下構造を持った既存建物を解体して、その場所に同じく大規模地下構造を持った新規建物を新築する工事であり、本実施の形態では、主に地下構造物の施工方法について説明する。
【００１８】
本実施の形態における地下構造物の施工方法は、既存地下構造物１０を上層階から順次解体しながら新規地下構造物１の外周部を上層階から順次築造（逆打工法）して図１に示すように平面視中央部分に大開口３０，４０，５０，６０が形成された新規地下構造物１´を築造した後、その開口３０，４０，５０，６０に新規地下構造物１の中央部を下層階から順次築造（順打工法）して新規地下構造物１を構築する方法である。
【００１９】
詳しく説明すると、まず、既存建物の図示せぬ上部構造を解体した後、図２に示すように、既存地下構造物１０の最上階部分を解体し、且つ、既存地下構造物１０の周りに山留め１００を築造し、さらに、新規地下構造物１のスラブを支持するための構真柱２を建て込む。
【００２０】
具体的に説明すると、まず、残存する既存地下構造物１０のうちで最も上層階に位置する地下１階部分１１を解体する解体工程（一次解体工程）を行う。すなわち、既存地下構造物１０の１階梁スラブ１１ａ及び地下１階柱壁１１ｂをそれぞれ公知の解体方法で解体する。そして、解体完了後、その解体によって形成された空間に、後述する山留め工程や構真柱建込工程の際に、図示せぬ山留め機や構真柱２の建て込みを行うためのケーシング回転掘削機等を据えるための図示せぬ構台を架設する。
【００２１】
次に、山留め１００を築造する山留め工程を行う。この山留め工程は、公知の山留め工事で行うことが可能であり、山留め１００としては、例えばＳＭＷ（Soil Mixing Wall）壁などがある。
【００２２】
次に、上記した構真柱２を建て込む構真柱建込工程を行う。この構真柱２は、鋼管や形鋼などの鋼材からなる柱部材であり、既存地下構造物１０の下方の地盤Ｇ内に定着されて支持され、後述する新規地下構造物１の耐圧版の上面から立設されている。そして、構真柱２は、既存地下構造物１０を貫通し、新規地下構造物１の１階床の位置の上方まで突出している。このような構真柱２を建て込む方法としては、まず、図示せぬケーシング回転掘削機によって図示せぬケーシングを回転させて既存地下構造物１０に貫通させ、既存地下構造物１０の下方の地盤Ｇの所定深さまで削孔する。続いて、その地盤Ｇに形成された孔の中に構真柱２の下端部を挿入すると共にコンクリートを打設して仮設杭２０を形成する。これにより、構真柱２の下端部が仮設杭２０で固定され、既存地下構造物１０を貫通する構真柱２が立設される。なお、この構真柱２を建て込む位置に、既存地下構造物１０の柱がある場合には、まず、その既存柱の周りに図示せぬ補強ＰＣ壁を築造し、その後、既存柱やそれに接合された既存梁などをワイヤソーなどで切断して揚重することで解体し、その後、図示せぬケーシング回転掘削機による削孔を行う。
【００２３】
次に、図３に示すように、上記した図示せぬ構台を解体・撤去した後、上述した地下１階部分１１を解体する解体工程によって形成された空間内に、新規地下構造物１の１階床部分の外周部を構成する環状の外周リング３を築造するリング築造工程（一次リング築造工程）を行う。この外周リング３は、新規地下構造物１の１階部分のスラブ及び梁からなる床版部材であり、外周リング３の中央部分には開口３０が形成されている。なお、この外周リング３はグランドラインと略同じ高さ位置に配設されるので、山留め１００から外周リング３にかかる外力（土圧）は小さい。そのため、外周リング３の開口３０は、図１に示すように、種々の施工性を考慮して平面視矩形状に形成されている。
【００２４】
上記した外周リング３の構造としては、例えば、鉄骨梁とデッキスラブからなる構造や、鉄筋コンクリート造のスラブと梁が一体に形成されたプレキャストコンクリートからなる構造、鉄骨梁或いは鉄骨鉄筋コンクリート梁と鉄筋コンクリート造のスラブとを在来工法で一体に形成した構造などがある。
また、図３に示すように、上記した外周リング３の梁部分を上記した構真柱２に接合することで、構真柱２によって外周リング３を支持させる。このとき、山留め１００と外周リング３との間に斜めに架けられた図示せぬ斜梁や切梁を部分的或いは一時的に設置してもよい。これにより、外周リング３の変形を抑制することができる。
【００２５】
次に、図４に示すように、残存する既存地下構造物１０のうちで最も上層階に位置する地下２階部分１２を解体する解体工程（二次解体工程）を行う。すなわち、既存地下構造物１０の地下１階梁スラブ１２ａ及び地下２階柱壁１２ｂをそれぞれ公知の解体方法で解体する。このとき、解体作業を行う図示せぬ重機や機材を上記した外周リング３の開口３０から既存地下構造物１０の地下１階梁スラブ１２ａ上に降ろす。また、解体で発生した鉄くずやコンクリートガラを上記した外周リング３の開口３０から揚重して搬出する。
【００２６】
次に、図５に示すように、上述した地下２階部分１２の解体工程によって形成された空間内に、新規地下構造物１の地下１階床部分の外周部を構成する環状の外周リング４を築造するリング築造工程（二次リング築造工程）を行う。この外周リング４は、新規地下構造物１の地下１階部分のスラブ及び梁からなる床版部材であり、外周リング４の中央部分には開口４０が形成されている。この開口４０は、上記した１階部分の外周リング３の開口３０と略同じ大きさに形成されていると共に平面視において重なる位置に形成されている。また、この外周リング４はグランドラインよりも下方の位置に配設されるので、山留め１００から外周リング４にある程度の外力（土圧）がかかる。そのため、外周リング４の開口４０は、図１に示すように、概ね平面視矩形状に形成されていると共にその矩形状の角部にハンチ４１が形成されており、平面視多角形状（八角形状）に形成されている。
【００２７】
なお、上記した地下１階部分の外周リング４は、上記した１階部分の外周リング３と同様に種々の構造にすることが可能である。また、上記した地下１階部分の外周リング４は、図５に示すように、上記した１階部分の外周リング３と同様に上記した構真柱２で支持される。
また、地下１階部分の外周リング４を築造するための資材や機材等は上記した外周リング３の開口３０から既存地下構造物１０の地下２階梁スラブ１３ａ上に降ろす。
また、地下１階部分の外周リング４を築造した後、新規地下構造物１の地下１階部分の柱壁３２を築造する。このとき、構真柱２の地下１階部分の周りに図示せぬ鉄筋を配筋すると共に外周コンクリート２１を打設して構真柱２の地下１階部分を仕上げる。
【００２８】
次に、図６に示すように、残存する既存地下構造物１０のうちで最も上層階に位置する地下３階部分１３を解体する解体工程（三次解体工程）を行う。すなわち、既存地下構造物１０の地下２階梁スラブ１３ａ及び地下３階柱壁１３ｂをそれぞれ公知の解体方法で解体する。このとき、解体作業を行う図示せぬ重機や機材を上記した外周リング３，４の開口３０，４０から既存地下構造物１０の地下２階梁スラブ１３ａ上に降ろす。また、解体で発生した鉄くずやコンクリートガラを上記した外周リング３，４の開口３０，４０から揚重して搬出する。
【００２９】
次に、図７に示すように、上述した地下３階部分１３の解体工程によって形成された空間内に、新規地下構造物１の地下２階床部分の外周部を構成する環状の外周リング５を築造するリング築造工程（三次リング築造工程）を行う。この外周リング５は、新規地下構造物１の地下２階部分のスラブ及び梁からなる床版部材であり、外周リング５の中央部分には開口５０が形成されている。この開口５０は、上記した１階部分及び地下１階部分の外周リング３，４の開口３０，４０と略同じ大きさに形成されていると共に平面視において重なる位置に形成されている。また、この外周リング５は地下１階部分の外周リング４よりも更に下方の位置に配設されるので、山留め１００から外周リング５にかかる外力（土圧）は地下１階部分の外周リング４よりも大きい。そのため、外周リング５の開口５０は、図１に示すように、概ね平面視矩形状に形成されていると共にその矩形状の角部に、地下１階部分の外周リング４のハンチ４１よりも大きいハンチ５１が形成されており、平面視多角形状（八角形状）に形成されている。
【００３０】
なお、上記した地下２階部分の外周リング５は、上記した１階部分及び地下１階部分の外周リング３，４と同様に種々の構造にすることが可能である。また、上記した地下２階部分の外周リング５は、図７に示すように、上記した１階部分及び地下１階部分の外周リング３，４と同様に上記した構真柱２で支持される。
また、地下２階部分の外周リング５を築造するための資材や機材等は上記した外周リング３，４の開口３０，４０から既存地下構造物１０の地下３階梁スラブ１４ａ上に降ろす。
また、地下２階部分の外周リング５を築造した後、新規地下構造物１の地下２階部分の柱壁４２を築造する。このとき、構真柱２の地下２階部分の周りに図示せぬ鉄筋を配筋すると共に外周コンクリート２２を打設して構真柱２の地下２階部分を仕上げる。
【００３１】
次に、図８に示すように、残存する既存地下構造物１０の最下階の地下４階部分１４を解体する解体工程（四次解体工程）を行う。すなわち、既存地下構造物１０の地下３階梁スラブ１４ａ及び地下４階柱壁１４ｂをそれぞれ公知の解体方法で解体する。このとき、解体作業を行う図示せぬ重機や機材を上記した外周リング３，４，５の開口３０，４０，５０から既存地下構造物１０の地下３階梁スラブ１４ａ上に降ろす。また、解体で発生した鉄くずやコンクリートガラを上記した外周リング３，４，５の開口３０，４０，５０から揚重して搬出する。
【００３２】
次に、図９に示すように、上述した地下４階部分１４の解体工程によって形成された空間内に、新規地下構造物１の地下３階床部分の外周部を構成する環状の外周リング６を築造するリング築造工程（四次リング築造工程）を行う。この外周リング６は、新規地下構造物１の地下３階部分のスラブ及び梁からなる床版部材であり、外周リング６の中央部分には開口６０が形成されている。この開口６０は、上記した１階部分、地下１階部分及び地下２階部分の外周リング３，４，５の開口３０，４０，５０と略同じ大きさに形成されていると共に平面視において重なる位置に形成されている。また、この外周リング６は地下２階部分の外周リング５よりも更に下方の位置に配設されるので、山留め１００から外周リング６にかかる外力（土圧）は地下２階部分の外周リング５よりも大きい。そのため、外周リング６の開口６０は、図１に示すように、平面視略円形状に形成されている。
【００３３】
なお、上記した地下３階部分の外周リング６は、上記した１階部分、地下１階部分及び地下２階部分の外周リング３，４，５と同様に種々の構造にすることが可能である。また、上記した地下３階部分の外周リング６は、図９に示すように、上記した１階部分、地下１階部分及び地下２階部分の外周リング３，４，５と同様に上記した構真柱２で支持される。
また、地下３階部分の外周リング６を築造するための資材や機材等は上記した外周リング３，４，５の開口３０，４０，５０から既存地下構造物１０の地下４階の基礎スラブ１５上に降ろす。
また、地下３階部分の外周リング６を築造した後、新規地下構造物１の地下３階部分の柱壁５２を築造する。このとき、構真柱２の地下３階部分の周りに図示せぬ鉄筋を配筋すると共に外周コンクリート２３を打設して構真柱２の地下３階部分を仕上げる。
【００３４】
次に、図１０に示すように、既存地下構造物１０の地下４階の基礎スラブ１５を解体すると共に最終根切りを行って床付けを行う最終根切工程を行う。このとき、解体作業や根切り作業を行う図示せぬ重機や機材を上記した外周リング３，４，５，６の開口３０，４０，５０，６０から既存地下構造物１０の地下４階の基礎スラブ１５上に降ろす。また、解体で発生した鉄くずやコンクリートガラ、及び、根切りで発生した土砂を上記した外周リング３，４，５，６の開口３０，４０，５０，６０から揚重して搬出する。
【００３５】
次に、図１１に示すように、上述した最終根切工程で形成された床付け面上に新規地下構造物１の地下４階の基礎床７を全面に亘って築造する基礎床築造工程を行う。この基礎床７を築造するための資材や機材等は上記した外周リング３，４，５，６の開口３０，４０，５０，６０から床付け面上に降ろす。
また、基礎床７を築造した後、新規地下構造物１の地下４階部分の柱壁６２を築造する。このとき、構真柱２の地下４階部分の周りに図示せぬ鉄筋を配筋すると共に外周コンクリート２４を打設して構真柱２の地下４階部分を仕上げる。
以上により、図１に示すように、平面視中央部分に大開口３０，４０，５０，６０が形成された新規地下構造物１´が築造される。
【００３６】
次に、図１２に示すように、各階の外周リング３，４，５，６の開口３０，４０，５０，６０の内側に新規地下構造物１の中央部分を下層階から順次築造する地下中央部築造工程を行う。具体的には、まず、新規地下構造物１の中央部分の図示せぬ柱梁鉄骨の建て方を行う。このとき、新規地下構造物１の図示せぬ地上部分の第一節の鉄骨建て方を同時に行うことが可能である。続いて、地下３階の外周リング６の開口６０の内側に新規地下構造物１の地下３階の中央部の梁スラブ６３を築造すると共に、地下４階の中央部の柱壁６４を築造する。その後、地下２階の外周リング５の開口５０の内側に新規地下構造物１の地下２階の中央部の梁スラブ５３を築造すると共に、地下３階の中央部の柱壁５４を築造する。その後、地下１階の外周リング４の開口４０の内側に新規地下構造物１の地下１階の中央部の梁スラブ４３を築造すると共に、地下２階の中央部の柱壁４４を築造する。その後、１階の外周リング３の開口３０の内側に新規地下構造物１の１階の中央部の梁スラブ３３を築造すると共に、地下１階の中央部の柱壁３４を築造する。
【００３７】
以上により、新規地下構造物１が完成する。なお、上述した地下中央部築造工程と並行して、新規地下構造物１の図示せぬ地上部分の鉄骨建て方等の躯体工事を行うことが可能である。
【００３８】
上記した地下構造物の施工方法によれば、残存する既存地下構造物１０のうちで最も上層階に位置する部分を解体する解体工程と、その解体工程によって形成された空間内に外周リング３，４，５，６を築造するリング築造工程と、を交互に行うことで、既存地下構造物１０が上層階から順次解体されるごとに、新規地下構造物１の外周部である外周リング３，４，５，６が先行して築造されるので、これらの外周リング３〜６によって山留め１００の変形が抑制される。外周リング３，４，５，６は切梁に比べて信頼性が高いので、大深度・大面積の大規模地下工事であっても山留め１００の変形を確実に抑制することができる。また、切梁を省略或いは削減することができるので、切梁の設置解体の工程が短縮或いは省略され、工期短縮を図ることができる。
【００３９】
また、新規に築造される構造物の中央部分は、先行して築造された外周リング３，４，５，６の開口３０，４０，５０，６０によって吹き抜け状に形成されており、地下工事の作業場の中央部は、大型重機を使用できるだけの十分な高さ（大空間）が確保される。これにより、解体作業に大型重機を投入することができ、解体作業の工期短縮を図ることができる。また、既存地下構造物１０が比較的に新しく高強度である場合でも、大型重機を使用することで容易に解体することができる。
【００４０】
また、外周リング３，４，５，６の開口３０，４０，５０，６０から地下工事の作業場に太陽光が照射されるので、地下工事の作業場が非常に明るい。したがって、照明設備を削減或いは省略することができる。
【００４１】
また、外周リング３，４，５，６の開口３０，４０，５０，６０によって地下工事の作業場の換気が行われるので、地下工事の作業場に重機の排気ガスが溜まりにくい。したがって、換気設備を削減或いは省略することができる。また、地下工事の作業場の換気を十分に行うことができるので、排気量の大きい大型の重機を多数同時に運転することができ、解体作業の工期短縮を図ることができる。
【００４２】
また、構真柱２によって外周リング３，４，５，６が支持されるので、外周リング３，４，５，６を仮支持する支保工が省略或いは削減される。これにより、仮設費を低減させることができると共に工期短縮を図ることができる。
【００４３】
また、複数段の外周リング３，４，５，６のうち、地下１階部分の外周リング４及び地下２階部分の外周リング５の開口４０，５０は、平面視において矩形の角部にハンチ４１，５１が形成された多角形状に形成されており、また、地下３階部分の外周リング６の開口６０は、平面視円形状に形成されているので、山留め１００からそれらの外周リング４，５，６に外力が作用したときに、その応力が一箇所に集中しにくく分散されやすくなる。これにより、外周リング３，４，５，６の開口３０，４０，５０，６０を大きく形成することができ、地下作業場に多数の大型重機を配置することができるので、解体作業の工期を短縮することができる。
なお、土圧は深度が深いほど大きくなるので、複数段の外周リング３，４，５，６のうち下層階のものほど山留め１００からかかる外力が大きくなる。したがって、上記した実施の形態では、外周リング４，５のハンチ４１，５１が下層階にいくに従い大きくなり、ハンチ４１，５１を有する外周リング４，５の下方に、平面視円形の開口６０が形成された外周リング６が配設されている。これにより、外周リング３，４，５，６の開口３０，４０，５０，６０を大きく形成しつつ山留め１００の変形を効果的に抑制することができる。
【００４４】
以上、本発明に係る地下構造物の施工方法の実施の形態について説明したが、本発明は上記した実施の形態に限定されるものではなく、その趣旨を逸脱しない範囲で適宜変更可能である。
例えば、上記した実施の形態では、地下４階の既存地下構造物１０を解体して同じく地下４階の新規地下構造物１を新築する場合の施工方法について説明しているが、本発明は、既存地下構造物や新規地下構造物の階数は適宜変更可能である。
【００４５】
また、上記した実施の形態では、地下工事と並行して地上工事を進める施工方法であるが、本発明は、地下工事が完了した後、地上工事を開始する施工方法であってもよく、また、地上工事を行わない場合であってもよい。
【００４６】
また、上記した実施の形態では、新規地下構造物１の最上階部分（１階部分）の外周リング３の開口３０が平面視矩形に形成され、新規地下構造物１の中間層階部分（地下１階部分及び地下２階部分）の外周リング４，５の開口４０，５０がハンチ４１，５１を有する平面視多角形状に形成され、新規地下構造物１の最下階部分（地下３階部分）の外周リング６の開口６０が平面視円形に形成されているが、本発明は、外周リングの開口の形状を適宜変更することが可能である。例えば、複数段の外周リングの開口が全段に亘って平面視円形状又はハンチを有する平面視多角形状に形成されていてもよく、或いは、許容応力が高い外周リングであれば矩形状の開口にすることも可能である。
【００４７】
また、上記した実施の形態では、外周リング３を形成する前に構真柱２を建てて、その構真柱２によって外周リング３，４，５，６を支持しているが、本発明は、他の方法で外周リング３，４，５，６を支持することも可能である。例えば、山留め１００の内面と外周リング３，４，５，６との間に斜めに架設された斜材や切梁によって外周リング３，４，５，６を支持してもよく、或いは、山留め１００の鋼材に突設されて外周リング３，４，５，６に定着されたスタッドコネクタによって外周リング３，４，５，６を支持してもよい。
【００４８】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４９】
１  新規地下構造物
２  構真柱
３，４，５，６  外周リング
１０  既存地下構造物
３０，４０，５０，６０  開口
４１，５１  ハンチ
１００  山留め
【図１】
0005811389.tif 000002
【図２】
0005811389.tif 000003
【図３】
0005811389.tif 000004
【図４】
0005811389.tif 000005
【図５】
0005811389.tif 000006
【図６】
0005811389.tif 000007
【図７】
0005811389.tif 000008
【図８】
0005811389.tif 000009
【図９】
0005811389.tif 000010
【図１０】
0005811389.tif 000011
【図１１】
0005811389.tif 000012
【図１２】
0005811389.tif 000013